(57)【要約】【課題】  切換板上に軸支した切換ギヤを、簡単な構成により、第一又は第二作動ギヤとの噛合する位置に係止する。【解決手段】  切換板上に切換ギヤを軸支し、切換ギヤの歯末面を第一及び第二作動ギヤの歯末面に同時に当接可能とし、切換ギヤに作用する第一又は第二作動ギヤからの反力により切換板を移動させて回転伝達経路を切換えるものとし、切換板に設けた当接部を、第二作動ギヤに駆動されるスライド板に設けた被当接部に当接させて、切換ギヤを、第二作動ギヤと噛合する位置に留めるものとする。【選択図】図７
2009158049.tif 000002
【特許請求の範囲】
【請求項１】
ピックアップ駆動用の双方向モータ（７４）と、
このモータに適宜駆動されてピックアップ（１４）を往復動させる第一作動ギヤ（１０９）と、
初期位置と作動位置との間を移動して、ディスク（Ｄ）の装填及び取出しに関与するディスク再生補助手段を作動させるスライド板（８４）と、
このスライド板を移動させる第二作動ギヤ（１１０）と、
往復動自在な切換板（１１６）と、
この切換板上に軸支され、かつ前記双方向モータに回転駆動され、該切換板の位置に応じて前記第一又は第二作動ギヤに噛合し、また、その歯末面を前記第一及び第二作動ギヤの歯末面に同時に当接可能とする切換ギヤ（１０８）と
を備えたディスク再生装置の動作切換機構において、
前記切換ギヤを前記第一作動ギヤに噛合させる位置に前記切換板を係止し、前記ピックアップがディスク再生時の動作範囲を超えて移動したときその係止を解除して、前記切換ギヤに作用する前記第一作動ギヤからの反力による前記切換板の移動を許容して、前記切換ギヤの前記第二作動ギヤへの噛合を可能にする係止手段（１１９，８７，８２、Ｓ）と、
前記切換板に設けられた当接部（１１７）と、
前記スライド板に設けられ、該スライド板が作動位置にあるとき前記当接部を当接させて、前記切換ギヤを前記第二作動ギヤに噛合させる位置に前記切換板を留め、モータの反転により前記スライド板が初期位置へ復帰するに伴い前記当接部から外れ、前記切換ギヤに作用する前記第二作動ギヤからの反力による前記切換板の移動を許容して、前記切換ギヤの前記第一作動ギヤへの噛合を可能にする被当接部（９７）と
を具備したことを特徴とするディスク再生装置の動作切換機構。
【請求項２】
前記係止手段は、
前記切換板に設けられた被係合部（１１９）と、
係合部（８７）を有し、該係合部を前記被係合部に係合させて、前記切換ギヤを前記第一作動ギヤに噛合させる位置に、前記切換板を係止し、前記ピックアップがディスク再生時の動作範囲を超えて移動したとき該ピックアップに押されて前記係合部の前記被係合部に対する係合を解除するロック部材（８２）と、
前記係合部を前記被係合部に係合させる方向へ前記ロック部材を付勢するばね部材（Ｓ）と、
で構成されることを特徴とする請求項１に記載のディスク再生装置の動作切換機構。
【請求項３】
前記切換板は回動自在で、その回動支点（１２１）と前記切換ギヤの軸心とを結ぶ線（Ｙ）を挟んで、前記第一作動ギヤ側の端部に前記被係合部、前記第二作動ギヤ側の端部に前記当接部を有することを特徴とする請求項２に記載のディスク再生装置の動作切換機構。
【発明の詳細な説明】
【技術分野】
【０００１】
本発明は、ピックアップ駆動用双方向モータの駆動力を、ピックアップ側又はクランパ、搬送ローラ等のディスク再生補助手段側に択一的に伝達するディスク再生装置の動力切換機構に関し、特に、モータに駆動される切換ギヤをピックアップ駆動側又は補助手段側に適宜係止する機構に関する。
【背景技術】
【０００２】
特許文献１には次のような動力切換装置が記載されている。
すなわち、回動部材（１９）に主動ギヤ（１８）と、第一従動ギヤ（２０）と、第二従動ギヤ（２２）とを軸支し、回動部材（１９）の回動により、駆動モータ（１５）の駆動力を、主動ギヤ（１８）及び第一従動ギヤ（２０）を介して、ピックアップ（２）を往復動させる第一機構（３）又は、主動ギヤ１８及び第二従動ギヤ（２２）を介して、クランパ、搬送ローラ等を作動させる第二機構（９）に択一的に伝達する動力切換装置が示されている。
また、第一従動ギヤ（２０）の歯末面を第一機構（３）側の第一ギヤ（８）の歯末面に当接させ、同時に、第二従動ギヤ（２２）の歯末面を第二機構（９）側のギヤ１３の歯末面に当接させる機構も示されており（図４）、この機構により、第一機構（３）と第二機構（９）との間の駆動力伝達経路の切換えがスムーズにできる。
【特許文献１】特開２００５−６９４５０号
【発明の開示】
【発明が解決しようとする課題】
【０００３】
特許文献１に開示された動力切換装置では、スライド板に連動板（２４）を連結し、この連動板（２４）に連結板（２３）を係合させ、この連結板（２３）にアーム（２５）を係合させることによって、回動板（１９）をスライド板（１０）側に係止して、主動ギヤ（１８）をピックアップ駆動側又はクランパ、搬送ローラ等のディスク再生補助手段を駆動する側に係止するようにしているため、係止するための構成が複雑となる問題があった。
【０００４】
本発明は、この問題に鑑みてなされたもので、多くの部品を付加することなく、ピックアップ駆動用のモータの駆動力を、ピックアップ駆動側又はディスク再生補助手段側に択一的に係止することができ、構成簡単、かつ安価なディスク再生装置の動力切換機構を提供することを目的とする。
【課題を解決するための手段】
【０００５】
切換ギヤを第一作動ギヤに噛合させる位置に切換板を係止し、ピックアップがディスク再生時の動作範囲を超えて移動したときその係止を解除して、切換ギヤに作用する前記第一作動ギヤからの反力による前記切換板の移動を許容して、前記切換ギヤの第二作動ギヤへの噛合を可能にする係止手段と、前記切換板に設けられた当接部と、スライド板に設けられ、該スライド板が作動位置にあるとき前記当接部を当接させて、前記切換ギヤを前記第二作動ギヤに噛合させる位置に前記切換板を留め、モータの反転により前記スライド板が初期位置へ復帰するに伴い前記当接部から外れ、前記切換ギヤに作用する前記第二作動ギヤからの反力による前記切換板の移動を許容して、前記切換ギヤの前記第一作動ギヤへの噛合を可能にする被当接部とで構成される。
【０００６】
前記係止手段は、前記切換板に設けられた被係合部と、係合部を有し、該係合部を前記被係合部に係合して、前記切換ギヤを前記第一作動ギヤに噛合させる位置に、前記切換板を係止するロック部材と、前記係合部を前記被係合部に係合させる方向へ前記ロック部材を付勢するばね部材と、前記ピックアップに設けられ、該ピックアップがディスク再生時の動作範囲を超えて移動したとき前記ロック部材を押圧して前記係合部の前記被係合部に対する係合を解除する押圧部とを具備した構成にすると良い。
【０００７】
前記切換板は回動自在とし、その回動支点と前記切換ギヤの軸心とを結ぶ線を挟んで、前記第一作動ギヤ側の端部に前記被係合部、前記第二作動ギヤ側の端部に前記当接部を有するものとすると良い。
【発明の効果】
【０００８】
本発明によれば、既存のピックアップ、切換板、スライド板等の一部を利用し、ロック部材とばね部材を付加するだけで切換ギヤをピックアップ駆動側又はディスク再生補助手段側に択一的に係止することができ、簡単かつ安価な構成となる。
【０００９】
また、切換板に被係合部を設け、この被係合部とピックアップとの間にロック部材を配置し、該ロック部材をばね部材で一方向に付勢して係止手段を構成すると、ロック部材とばね部材を付加するだけで切換ギヤをピックアップ駆動側に係止することができ、一層構成が簡単となる。
【００１０】
さらに、切換板を回動自在とし、その回動支点と前記切換ギヤの軸心とを結ぶ線を挟んで、第一作動ギヤ側の端部に被係合部、第二作動ギヤ側の端部に当接部を有するものとすると、切換板は、切換ギヤを第一作動ギヤに噛合させる方向へ回動するとき被係合部をロック部材との係合位置に移動させてピックアップ駆動側に係止され、切換ギヤを第二作動ギヤに噛合させる方向へ回動するとき当接部をスライド板との係合位置に移動させてディスク再生補助手段駆動側に係止される構成にすることができ、設計し易い構成となる。
【発明を実施するための最良の形態】
【００１１】
以下、本発明を実施するための最良の形態を、図面を参照して説明する。
図１は車載用のディスク再生装置の機構部１の外観を示す斜視図である。機構部１の正面には、ディスクＤを挿出するディスク挿入口２が設けられている。矢印Ａはディスク挿入方向を示し、その逆方向はディスク排出方向となる。そして、これらディスク挿入方向とディスク排出方向とを合わせて、ディスク挿出方向とする。
【００１２】
図２は、機構部１を上ユニット３と下ユニット４とに分けて示し、さらに下ユニット４をピックアップユニット５、クランプ機構６及びその他に分けて示す分解斜視図である。
図３は前記上ユニット３を示す平面図であり、図４は前記下ユニット４からピックアップユニット５とクランプ機構６とを除いた部位を示す平面図である。また、図５はピックアップユニット５を示す平面図である。
【００１３】
前記上ユニット３は、図２及び図３に示すように、上フレーム７及びディスク検知機構８で構成されている。前記下ユニット４は、図２、図４及び図５に示すように、下フレーム１０と、この下フレーム１０に取り付けられる３個の緩衝部材よりなるダンパ１１と、搬送ローラ機構１２と、ターンテーブル１３やピックアップ１４を含むピックアップユニット５と、クランプ機構６等で構成されている。前記上フレーム７と下フレーム１０とで固定シャーシ１５すなわち、ディスク再生装置のフレームを構成する。
【００１４】
図２及び図３の如く、金属板からなる前記上フレーム７は、ほぼ四角形をなす天板１８の四辺より下方に折曲形成された側板を有し、その左右側板１９，２０のディスク挿出方向における前部及び後部にそれぞれ重ね合せ部２１，２２を設けている。
【００１５】
また図２及び図４の如く、金属板からなる前記下フレーム１０は、ほぼ四角形をなす底板２３の四辺より上方に立上るフレーム側板を有し、その左右のフレーム側板２４，２５のディスク挿出方向における前部及び後部に、それぞれ重ね合せ部２６，２７を設けている。そして、上フレーム７と下フレーム１０との合体は、互いの対応する重ね合せ部同志を重ね合わせ、それぞれの後部重ね合わせ部２２，２７をねじ２８（図２において右方のみ記載）にて固定する（図１参照）ことにより行なっている。
【００１６】
図２及び図３の如く、前記天板１８には、ほぼ中央に開口部２９を設け、この開口部２９の左右位置には一対の延出片３０を下方へ延出させている。そして、前記天板１８の前半部（図３における下半部）には、上面側から下方に向けて押出し加工した左右方向に長い凹みを形成してその部位を装着部３１としている。さらに、天板１８と装着部３１との間の段差部３２には、適宜切欠部３３を設けている。また、装着部３１中央部には、下方へ膨出するガイド部３４を形成している。
【００１７】
前記ディスク検知機構８は、左右一対の水平回動自在なディスク検知部材３５，３６と、両検出部材３５，３６間に掛渡されたコイルばね３７（図３に仮想線で示す）と、右方のディスク検知部材３６より更に右方に装着された回動自在な係止レバー３８と、図示しないスイッチとで構成され、これらの構成部品は、装着部３１の上面に取付けられている。
【００１８】
前記ディスク検知部材３５，３６は、ディスクが挿入されたことを検知するもので、装着部３１の上面に突設された一対の支軸３９にそれぞれ回動自在に装着され、前記ディスク挿入口２の近傍まで延長された各延長端には下方に延びた検知部４０，４１（図２参照）を有している。
【００１９】
左方のディスク検知部材３５には、図中右方へ延出した連結片４２が形成されており、その先端には連結ピン４３が上方へ向けて形成されている。また右方のディスク検知部材３６には、図中左方へ延出した連結片４４が形成されており、その先端付近には連結溝４５が形成されている。そして、前記連結ピン４３をこの連結溝４５に係合させて、両ディスク検知部材３５，３６が左右対称に同期回動するようにしている。
【００２０】
両ディスク検知部材３５，３６は、一部を前記切欠部３３に挿入させており、前記コイルばね３７の付勢力により装着部３１の上面に形成された一対のストッパ部４６のそれぞれに一部を当接させて、互いの検知部４０，４１を再接近させた初期位置を維持している。また、各検知部４０，４１の近傍には弾性片４７，４８が設けられ、これらの弾性片４７，４８を装着部３１の上面に弾性的に常時圧接させて、検知部材３５，３６の振動によるラットルノイズの発生を防止するようにしている。
【００２１】
前記係止レバー３８は装着部３１の上面に突設された支軸４９に回動自在に装着され、ディスクが再生位置に挿入されたとき左右のディスク検知部材３５，３６を回動位置に係止する。この係止レバー３８には、一端に右方のディスク検知部材３６に嵌合するピン５０、他端にディスク搬送経路内に位置して搬送途中のディスクの外周に摺接する図示しない摺接ピンが、それぞれ形成されている。係止レバー３８は、時計方向に極めて弱いばねで回動付勢されている。
【００２２】
図２及び図４の如く、前記下フレーム１０の底板２３には、大きく開口した大開口部５２を設け、その大開口部５２周辺の底板２３上面３箇所には、前記ダンパ１１を固着する固定部５３を設けている。また、左側板２４後部付近において、底板２３を上方へ向けて押出し加工にて山形形状とした押出し部５４を設け、その前方位置に、左側板２４の一部を装置内側へ向けて切曲げした切曲げ部５５を設けている。この切曲げ部５５には、被係合部である孔５６が設けられている（図２参照）。さらに、図中右方には、前記孔５６より手前側及び奥側位置に、右側板２５より内側に向けて折曲形成された前方及び後方被係合部である一対の折曲部５７，５７が設けられている。
【００２３】
前記３箇所の固定部５３には、それぞれ前記ダンパ１１の台座５８を固着し、各ダンパ１１の有底筒部５９を前記ピックアップユニット５の一部に取付けて、ピックアップユニット５がこれらのダンパ１１を介して、下フレーム１０に対してフローティング状態に支持されるようにしている。また、下フレーム１０の左右側板２４，２５のディスク挿入口２近傍には、前記搬送ローラ機構１２が配置されている。
【００２４】
前記ピックアップユニット５は、図２及び図５に示すように、フローティングシャーシ６０と、このフローティングシャーシ６０に取付けられたピックアップ駆動機構６１、ローディング機構６２、ディスク回転機構６３及び後述する第一モータ（ピックアップ駆動用双方向モータ）７４とで構成されている。なお、ローディング機構６２と第一モータ７４とで、本発明の動作切換機構を構成する。
【００２５】
フローティングシャーシ６０は金属板製で、ほぼ四角形をなす平板部６５と、上方へ折り曲げた左右側板６６，６７と、下方へ折り曲げた前板６８と、上方へ折り曲げた後板６９とを有している。前記平板部６５には、図５中ほぼ中央から左上方に向けて長い矩形孔７０を有し、この矩形孔７０の内側にピックアップ１４が矩形孔７０の長手方向に移動自在に配置されている。
【００２６】
また、該矩形孔７０の長手方向と平行にレール部７１が設けられ、前記ピックアップ１４の一部で、このレール部７１を挟む構成となっている。この平板部６５において、前記右側板６７の近傍には溝７２（仮想線で示す）が設けられている。さらに、この平面部６５には、ディスクの挿入を規制する左右一対のストッパ片７３を設けている。そして、前記矩形孔７０の図中右方には前記第一モータ７４が配置されている。
【００２７】
前記ピックアップ駆動機構６１は、前記ピックアップ１４に挿通し前記レール部７１と平行に配置される金属製の主ガイドレール７５、一端に小ギヤ７６を設けた合成樹脂製の送りねじ７７、前記主ガイドレール７５及び送りねじ７７の両端をそれぞれ支持する第一支持部材７８，第二支持部材７９、一端をピックアップ１４に固定し他端を前記送りねじ７７に当接させる薄板製のピックアップ送り板８０で構成されている。前記主ガイドレール７５、小ギヤ７６、送りねじ７７、第一、第二支持部材７８，７９は、前記フローティングシャーシ６０の平板部６５の下面側に配置される。
【００２８】
前記ローディング機構６２は、ピックアップ１４をロックするロック部材８２と、前記第一モータ７４の駆動力を伝達する駆動力伝達手段８３と、第一モータ７４の駆動力を受け、図中前後に移動するスライド板８４と、前記スライド板８４に取付けた反転ばね（図示せず）と、ディスクを前記ターンテーブル１３にチャッキングする直前を検知するトリガ部材８５と、前記ロック部材８２を時計方向に付勢するばね部材Ｓと、で構成されている。
前記ロック部材８２、駆動力伝達手段８３、トリガ部材８５は、平板部６５の下面側に配置され、前記スライド板８４は、右側板６７に配置される。
【００２９】
前記ロック部材８２は、略中央に回動支点８６を設け、一端に係合部としての摺接ピン８７、他端にロック部８８を設けている。
【００３０】
図６はスライド板８４とその周辺部品との関係を示す側面図であり、スライド板８４の図中中央上部にはカム溝８９を設けている。このカム溝８９の下方には、前方及び後方被係合部である、上下方向の幅が狭いスリット部９０，９１と、上下方向幅広の逃げ部９２，９３とからなる一対の貫通孔９４，９５を設けている。また、スライド板８４の図６における左端には、ローラ位置切換部であるカム面９６を設けている。さらに、図５に示す如く、スライド板８４の左側面には、図中左方に突出した被当接部９７が設けられている。
【００３１】
前記トリガ部材８５は、一端側に上方へ延出する被当接部９８、他端側にラック９９、中間部に回動軸１００を、それぞれ設けている。さらに、他端部には上方に突出するボス１０１も設けている。このボス１０１は、前記フローティングシャーシ６０の溝７２に挿通させている。
【００３２】
前記ディスク回転機構６３は、前記矩形孔７０の図中最前部に取付けられた第二モータ１０２と、この第二モータ１０２に直結された前記ターンテーブル１３とで構成されている。
【００３３】
前記駆動力伝達手段８３は、図５及び図７の如く、ギヤ群を主体とするものである。この伝達手段８３は、前記第一モータ７４の駆動力を、搬送ローラ機構１２、クランプ機構６等のディスク再生補助手段又はピックアップ駆動機構６１に適宜伝達する切換手段１０３と、第三支持部材１０４と、第四支持部材１０５とを有している。
【００３４】
前記ギヤ群は、前記第一モータ７４のシャフトに装着されたウォームギヤ１０６と、二段ギヤよりなる第一ギヤ１０７、切換ギヤとしての第二ギヤ１０８及び第一作動ギヤとしての第三ギヤ１０９と、三段ギヤよりなる第二作動ギヤとしての第四ギヤ１１０と、ディスク挿出方向に長く両端部に第一ウォーム１１１，第二ウォーム１１２を一体形成した第五ギヤ１１３と、前記第四支持部材１０５に取付けられる、二段ギヤよりなる第六ギヤ１１４と、連結ギヤである第七ギヤ１１５とで構成されている。この第七ギヤ１１５は、前記スライド板８４のカム面９６に近い位置に配置されている。なお、第三ギヤ１０９と第四ギヤ１１０との軸間距離は、図８に示すように、第三ギヤ１０９の小ギヤと第二ギヤ１０８の大ギヤとが歯末面同志を当接させるとき、同時に第四ギヤ１１０の大ギヤと第二ギヤ１０８の小ギヤとが歯末面同志を当接させるように設定されている。
【００３５】
前記切換手段１０３は、仮想線で示す金属板製の切換板１１６と、この切換板１１６に取付けた前記第二ギヤ１０８とで構成される。前記切換板１１６は、図中下端部が右方に曲がった形状をなし、その先端を当接部１１７とし、図中上端に円弧部１１８と傾斜部１１９とからなるカム部１２０を有し、中間部を前記第一ギヤ１０７と共通の軸１２１に回動自在に軸支されている。前記第二ギヤ１０８は前記カム部１２０と軸１２１とのほぼ中間位置に回転自在に軸支されている。そして、切換板１１６の回動により第二ギヤ１０８を、第三ギヤ１０９又は第四ギヤ１１０に適宜噛合させて、前記第一モータ７４の駆動力をピックアップ駆動機構６１又は搬送ローラ機構１２、クランプ機構６等のディスク再生補助手段に伝達するようにしている。
【００３６】
第一ギヤ１０７は、前記フローティングシャーシ６０の裏面側に軸支され、一段目の大ギヤをヘリカルギヤとして、このヘリカルギヤをウォームギヤ１０６に噛合させている。第一ギヤ１０７の二段目の小ギヤは第二ギヤ１０８の大ギヤに常時噛合させている。第四ギヤ１１０は、前記フローティングシャーシ６０の裏面側に軸支され、中ギヤを第五ギヤ１１３の第一ウォーム１１１に、小ギヤをスライド板８４のラック（図示せず）に、それぞれ噛合させている。
【００３７】
第五ギヤ１１３は、第一ウォーム１１１側を前記第三支持部材１０４に支持され、第二ウォーム１１２側を第四支持部材１０５に回転自在に支持されている。この第三支持部材１０４及び第四支持部材１０５は前記フローティングシャーシ６０の裏面側に取付けられている。第五ギヤ１１３の第二ウォーム１１２は第四支持部材１０５に回転自在に取付けられた第六ギヤ１１４の小ギヤと噛合している。この小ギヤはヘリカルギヤである。第六ギヤ１１４の大ギヤは同じく第四支持部材１０５に回転自在に取付けられた第七ギヤ１１５に噛合させている。また、第三ギヤ１０９の大ギヤはピックアップ駆動機構６１の一部である前記小ギヤ７６に常時噛合させている。
【００３８】
図７に示すように、第二ギヤ１０８の小ギヤが第四ギヤ１１０の大ギヤに噛合していると、第一モータ７４の駆動力が前記搬送ローラ機構１２に伝達される。この状態から切換板１１６が軸１２１を中心に反時計方向に回動して、第二ギヤ１０８の大ギヤが第三ギヤ１０９の小ギヤと噛合すると、第一モータ７４の駆動力がピックアップ駆動機構６１に伝達される。
【００３９】
前記クランプ機構６は、図９及び図１０に示すように、クランパ１２２と、このクランパ１２２を回転支持する薄板製の支持板１２３と、この支持板１２３を取着し、上下方向に回動して（回動中心線を一点鎖線で示す）前記クランパ１２２を前記ターンテーブル１３に対して離接させるクランパ支持体１２４とで構成される。
【００４０】
図１０の如く、クランパ１２２は、図中上方に軸部１２５と、図中下方にディスクの中心孔に嵌合する略円錐台形突部１２６とを有し、この略円錐台形突部１２６の外周にディスクの心出し用テーパ１２７を有している。
【００４１】
クランパ１２２は、前記軸部１２５を前記支持板１２３の一端側にて回転自在に支持され、支持板１２３は、他端側をクランパ支持体１２４に固着され、ターンテーブル１３とクランパ１２２とでディスクを挟持するときは、支持板１２３の一部でクランパ１２２の軸端を弾性的に押圧してターンテーブル１３とクランパ１２２との間にディスク挟持圧を付与するようにしている。
【００４２】
クランパ支持体１２４は、図９に示すように、左右方向に細長い板金製で、平板１２８の左右端に下方へ折り曲げられた側板１２９，１３０を有している。そして平板１２８には、略菱形状の第一及び第二上方係合部である一対の菱孔１３１，１３２を設け、各菱孔１３１，１３２には、図中左右角部にそれぞれストレート溝１３３，１３４を形成している。クランパ支持体１２４の図中奥側縁部１３５は、中央から左方及び右方にかけて僅かに奥側へ傾斜するように形成されている。また、右側板１３０の図中前端部には係合ピン１３６が取着されており、この係合ピン１３６は、前記スライド板８４のカム溝８９（図６参照）に嵌合する。
【００４３】
前記左側板１２９は、図１０に示すように一部を下方へ延長し、該延長部の下端部が二股形状に形成されており、図中右側を係合部である第一片１３７、左側を第二片１３８としている。また、左右側板１２９，１３０（図９には左側板１２９のみ示す）には、それぞれ軸孔１３９が設けられており、各軸孔１３９は前記フローティングシャーシ６０の左右側板６６，６７（図５参照）にそれぞれ設けられた突部（図示せず）に係合し、クランパ支持体１２４は、それらの突部を中心に回動自在となっている。
【００４４】
また、前記クランパ支持体１２４の前記フローティングシャーシ６０に対する回動中心軸（両軸孔１３９の中心間を結ぶ線）は、前記ターンテーブル１３の中心軸線より距離Kだけ奥側にあり、距離ＫはディスクＤの中心孔径（１５ｍｍ）より大きく、かつ、その２倍（３０ｍｍ）以内、例えば２５ｍｍ程度に設定される。さらに、前記クランパ支持体１２４の奥側縁部１３５は、中央から左方及び右方にかけて奥側へ僅かに傾斜させている。
【００４５】
搬送ローラ機構１２は、図４及び図１１の如く、搬送ローラ１４１と、ローラブラケット１４２とで構成されている。
【００４６】
搬送ローラ１４１は、外方端から内方端にかけて漸次小径となる一対の合成ゴム製テーパ筒体１４３に金属製の軸１４４を挿通させて構成されている。軸１４４の両端はテーパ筒体１４３の外方端から突出し、その突出する軸１４４の一端側には前記駆動力伝達手段８３（図５参照）の一部であるローラギヤ１４５を、また他端側にはカラー１４６を、それぞれを取付けている。
【００４７】
ローラブラケット１４２は金属板よりなるもので、図１１に示す如く左右に長い連結板１４７の左右端に、上方へ向けて折曲形成された左右ブラケット側板１４８を有し、これらの左右側板１４８を連結板１４７より奥側へ延出させている。左右側板１４８は、各内面側の略中間部に絞り加工による凸状筒部１４９，１４９をそれぞれ有し、各凸状筒部１４９，１４９を下フレーム１０（図２参照）の左右側板２４，２５に形成された溝１５０（一方のみ仮想線で示す）に嵌合させ、凸状筒部１４９，１４９を支点として、上下回動自在に装着される。また、前記フレーム側板１４８の延出部間では、搬送ローラ１４１の軸１４４の両端を回転自在に支持している。
【００４８】
前記連結板１４７の後縁は裏面側に向けて折曲された山折縁部１５１となっている。この山折縁部１５１は、平面図上ではほぼ左右対称となるＶ形凹状となっているが、その傾斜角度は、ローラの軸心線に対して約１°程度の僅かなものである。また、連結板１４７の前縁には上方に向けて屈曲した左右一対の屈曲部１５２，１５２が設けられている。これらの屈曲部１５２，１５２は、搬送ローラ１４１が下方位置にあるとき、すなわち、ディスクが再生位置に挿入されているときは上方位置にあってディスク挿入口２（図１参照）を塞いで、ディスクの二重挿入を防止する。前記ローラブラケット１４２の右側板１４８の最奥部には、外方へ向けて略直角に曲げられた折曲片１５３が設けられている。なお、ローラブラケット１４２は図示しないばねにより、搬送ローラ１４１を上昇させる方向に常時付勢されている。
【００４９】
また、図１２に示す如く、前記フレーム１０の底板２３の一部に一対の誘導部１５８，１５８を設け、スライド板８４がディスク排出方向へ移動した際に、スライド板８４が両誘導部１５８，１５８間に挟まれるようにしている。
【００５０】
以上の如く構成されたディスク再生装置において、ディスクを挿入し再生するまでの動作を説明する。
ディスクＤを挿入する前には、スライド板８４は図７における下方、すなわち、作動位置に位置している。このとき、切換板１１６は時計方向に回動した位置にあり、第二ギヤ１０８の小ギヤは第四ギヤ１１０の大ギヤに噛合している。前記切換板１１６の当接部１１７は、スライド板８４の被当接部９７に当接した状態となっている。この状態において、ディスク挿入口２からディスクＤを図３に示すディスク検知部材３５，３６の検知部４０，４１間に挿入する。そして、ディスクＤをその外周面で検知部４０，４１間を押し広げながら挿入すると、ディスク検知部材３５，３６が回動する。すると、図示しないスイッチがオンされて、ディスクＤが挿入されたことを検知して第一モータ７４（図７参照）が起動する。
【００５１】
すると、第一モータ７４の駆動力は、第二ギヤ１０８から第四ギヤ１１０を介して、スライド板８４に伝達される。このとき、第二ギヤ１０８は時計方向に回転しており、この回転の反力によって切換板１１６は反時計方向に回動しようとしている。しかし、切換板１１６の当接部１１７は図中上下方向に移動可能なスライド板８４に対して、その被当接部９７に図中左方より右方へ向けて当接しているため、切換板１１６は、第二ギヤ１０８を第四ギヤ１１０に噛合させる図７の位置に留められている。
【００５２】
スライド板８４が図７における上方、すなわち、初期位置へ向けて、前記反転ばねを反転動作させる位置まで移動した後、当接部１１７がスライド板８４の被当接部９７から外れ、切換板１１６は反時計方向への回動が許容される。そして切換板１１６は、第二ギヤ１０８に作用する第四ギヤ１１０からの反力を受けて反時計方向へ回動するが、第三ギヤ１０９と第四ギヤ１１０との軸間距離は、図８に示すように、第三ギヤ１０９の小ギヤと第二ギヤ１０８の大ギヤとが歯末面同志を当接させるとき、同時に第四ギヤ１１０の大ギヤと第二ギヤ１０８の小ギヤとが歯末面同志を当接させるように設定されているため、第二ギヤ１０８は第四ギヤ１１０からの反力を受けている間に、その歯末面を第三ギヤ１０９の歯末面に当接させるようになり、第四ギヤ１１０との噛合状態から第三ギヤ１０９との噛合状態に、スムーズに移行することができる。
【００５３】
そして、図１２の如く、第二ギヤ１０８と第三ギヤ１０９が、互いのピッチ円同志がほぼ接する適正な噛合状態になると、前記ロック部材８２は、ばね部材Ｓに付勢されて、ピックアップ１４の一部との係合を解除して、ピックアップ１４の、ディスク再生時における動作範囲への復帰を許容すると同時に、摺接ピン８７を切換板１１６の傾斜部１１９に係合させ、第二ギヤ１０８を第三ギヤ１０９に噛合させる位置に切換板１１６を係止する。これによって、第一モータ７４の駆動力は第二ギヤ１０８、第三ギヤ１０９を介してピックアップ１４に伝達され、ピックアップ１４はディスク再生時における動作範囲で往復移動可能となる。
【００５４】
一方、スライド板８４が初期位置まで移動すると、搬送ローラ１４１は図１３の如く、軸１４９を中心に、ディスク搬送位置から非搬送位置へ下降する。また、クランパ支持体１２４に支持されたクランパ１２２は図１０の如く、仮想線で示す位置から実線で示す位置まで下降する。そして、クランパ１２２と前記ターンテーブル１３とでディスクＤを挟持し、ディスクＤはディスク再生位置に位置決めされて、ディスクの再生が行なわれる。
【００５５】
次にディスク再生を終了してディスクを排出する動作を説明する。
図示しないディスクイジェクトボタンを押すと、図１２の如くなり、第二ギヤ１０８は第一モータ７４の駆動力を受けて反時計方向に回転し、ピックアップ１４をディスク再生時の動作範囲を超えてディスク記録面の内周方向へ移動させる。すると、ピックアップ１４の一部でロック部材８２の一部を押圧し、ロック部材８２はばね部材Ｓの付勢力に抗して反時計方向に回動する。
【００５６】
このロック部材８２の反時計方向への回動により、前記摺接ピン８７が切換板１１６の傾斜部１１９から外れて切換板１１６の時計方向への回動を許容すると共に、ロック部８８をピックアップ１４に係合させて、ピックアップ１４のディスク再生時における動作範囲への復帰を禁止する。よって、切換板１１６は、第二ギヤ１０８に作用する第三ギヤ１０９からの反力により時計方向へ回動する。切換板１１６の時計方向への回動により、第二ギヤ１０８は第三ギヤ１０９から離れようとするが図８に示すように、第二ギヤ１０８が第三ギヤ１０９からの反力を受けている間に、第二ギヤ１０８と第四ギヤ１１０の歯末面同志が当接するため、第二ギヤ１０８は第三ギヤ１０９との噛合状態から、図７に示す第四ギヤ１１０との噛合状態へスムーズに移行することができる。
【００５７】
そして、図７の如く、第二ギヤ１０８と第四ギヤ１１０が噛合すると、第四ギヤ１１０の回転によりスライド板８４が初期位置から作動位置へ移動する。この状態では、スライド板８４の被当接部９７が切換板１１６の当接部１１７を当接させる位置にあるので切換板１１６の反時計方向への回動は当接部１１７によって禁止される。
【００５８】
また、スライド板８４が作動位置まで移動することにより、クランパ支持体１２４に支持されたクランパ１２２は図１０の実線位置から仮想線位置まで移動してターンテーブル１３上のディスクＤを開放し、搬送ローラ１４１は図１３の非搬送位置から仮想線で示すディスク搬送位置へ上昇して、ディスクＤをディスク挿入口２から排出する。
【００５９】
以上の構成によれば、ピックアップ１４、切換板１１６、スライド板８４等の一部を利用し、ロック部材８２とばね部材Ｓを付加するだけで第二ギヤ１０８をピックアップ駆動側又はディスク再生補助手段側に択一的に係止することができ、簡単かつ安価な構成となる。
【００６０】
また、切換板１１６に傾斜部１１９を設け、この傾斜部１１９にとピックアップ１４との間にロック部材８２を配置し、該ロック部材８２をばね部材Ｓで一方向に付勢して、係止手段を構成すると、ロック部材８２とばね部材Ｓを付加するだけで第二ギヤ１０８をピックアップ駆動側に係止することができ、一層構成が簡単となる。
【００６１】
さらに、切換板１１６を回動自在とし、その回動支点と前記第二ギヤ１０８の軸心とを結ぶ線Ｙを挟んで、第三ギヤ１０９側の端部に傾斜部１１９、第四ギヤ１１０側の端部に当接部１１７を有するものとすると、切換板１１６は、第二ギヤ１０８を第三ギヤ１０９に噛合させる方向へ回動するとき傾斜部１１９をロック部材８２との係合位置に移動させてピックアップ駆動側に係止され、第二ギヤ１０８を第四ギヤ１１０に噛合させる方向へ回動するとき当接部１１７をスライド板８４との係合位置に移動させてディスク再生補助手段駆動側に係止される構成にすることができ、設計し易い構成となる。
【図面の簡単な説明】
【００６２】
【図１】ディスク再生装置を示す斜視図。
【図２】ディスク再生装置の分解斜視図。
【図３】上ユニットを示す平面図。
【図４】下ユニットからピックアップユニットとクランプ機構とを除いた状態を示す平面図。
【図５】ピックアップユニットを示す平面図。
【図６】スライド板と周辺部品との関係を示す側面図。
【図７】駆動力伝達手段を示す平面図。
【図８】第一、第二作動ギヤと切換ギヤとの関係を示す平面図。
【図９】クランプ機構を示す平面図。
【図１０】クランプ動作を示す左側面図。
【図１１】搬送ローラ機構を示す斜視図。
【図１２】駆動力伝達手段を示す平面図。
【図１３】スライド板と周辺部品との関係を示す側面図。
【符号の説明】
【００６３】
１４            ピックアップ
７４            第一モータ
８２            ロック部材
８４            スライド板
８７            摺接ピン（係合部）
９７            被当接部
１０８          第二ギヤ（切換ギヤ）
１０９          第三ギヤ（第一作動ギヤ）
１１０          第四ギヤ（第二作動ギヤ）
１１６          切換板
１１７          当接部
１１９          傾斜部（被係合部）
１２１          軸（回動支点）
Ｄ              ディスク
Ｓ              ばね部材
Ｙ              線
【図５】
2009158049.tif 000003
【図６】
2009158049.tif 000004
【図７】
2009158049.tif 000005
【図１２】
2009158049.tif 000006
【図１】
2009158049.tif 000007
【図２】
2009158049.tif 000008
【図３】
2009158049.tif 000009
【図４】
2009158049.tif 000010
【図８】
2009158049.tif 000011
【図９】
2009158049.tif 000012
【図１０】
2009158049.tif 000013
【図１１】
2009158049.tif 000014
【図１３】
2009158049.tif 000015